(57)【要約】【課題】収容できる内容物の許容量を確保しつつ携帯し易く、生地に施された加工を長期間維持することができ、さらに、デザイン性、ファッション性に優れた手提げバッグを提供する。【解決手段】開口部１３と底部１４とを有する袋状の収容部１１に手提げ部１２を取り付けて手提げバッグ１０を構成し、この手提げバッグ１０をポリエステル製の生地から形成し、方方に伸縮できるように絞り加工を施す。【選択図】図１
0003176797.tif 000002
【実用新案登録請求の範囲】
【請求項１】
袋状の収容部と、この収容部に形成された開口部に備えられた手提げ部と、から構成された手提げバッグにおいて、
前記収容部と手提げ部とが、ポリエステル製の生地から形成され、絞り加工が施されて方方に伸縮する、
ことを特徴とする手提げバッグ。
【請求項２】
前記絞り加工が縫い目に施された、
ことを特徴とする請求項１に記載の手提げバッグ
【請求項３】
前記絞り加工は、一または二種類以上の括り方が選択された、
ことを特徴とする請求項１または請求項２に記載の手提げバッグ。
【請求項４】
前記手提げ部に、前記収容部と異なる絞り加工が施された、
ことを特徴とする請求項１から請求項３のいずれか１項に記載の手提げバッグ。
【考案の詳細な説明】
【技術分野】
【０００１】
本考案は、手提げバッグに関する。
【背景技術】
【０００２】
従来、お店で買い物をする際、購入した商品を収納する入れ物として、商品の購入者が自ら持参するエコロジーバッグ（いわゆるエコバッグ）が用いられている。エコバッグは、地球環境への配慮から、従来お店側が用意していたビニール袋（いわゆるレジ袋）に替わるものとして提案され、普及している。
【０００３】
エコバッグは、レジ袋に替わるものであるため、お店で購入した商品を収容できる程度の大きさが必要である一方、不使用時には折り畳まれて財布などと一緒に他のバッグに収納される場合もある。
【０００４】
また、近年エコバッグは、デザイン性、ファッション性に富んだ様々な種類が提案され、レジ袋に替わるものとしての用途に止まらず、他のバッグと同様に用いられる場合もある。例えば、シルク、綿などの素材が用いられ、プリーツ加工が施されたエコバッグも存在する。
【考案の概要】
【考案が解決しようとする課題】
【０００５】
しかし、上記した従来のエコバッグは、お店で購入した商品を収容できる程度の大きさを要するが、大きすぎると他のバッグに収納して携帯する際に不便である。また、シルクや綿などは、プリーツ加工を施しても加工の永続性に欠ける。
【０００６】
本考案は、上記の実情に鑑みて提案されたものである。すなわち、収容できる内容物の許容量を確保しつつ携帯し易く、生地に施された加工が長期間維持され、さらに、デザイン性、ファッション性に優れた手提げバッグの提供を目的とする。
【課題を解決するための手段】
【０００７】
上記目的を達成するために、本考案は、袋状の収容部と、この収容部に形成された開口部に備えられた手提げ部と、から構成された手提げバッグにおいて、前記収容部と手提げ部とが、ポリエステル製の生地から形成され、絞り加工が施されて方方に伸縮する、ことを特徴としている。
【０００８】
また、本考案は、前記絞り加工が縫い目に施された、ことを特徴としている。
【０００９】
また、前記絞り加工は、一または二種類以上の括り方が選択された、ことを特徴としている。
【００１０】
また、前記絞り加工は、一または二種類以上の括り方が選択された、ことを特徴としている。
【考案の効果】
【００１１】
本考案に係る手提げバッグは、上記した構成である。この構成により、手提げバッグは絞り部が方方に伸縮し、また、絞り加工の定着がポリエステル製の生地により長期間維持される。したがって、手提げバッグは、収容部に収容できる内容物の許容量を確保しつつ携帯し易く、施された絞り加工が長期間維持される。さらに、この手提げバッグは、絞り加工により、デザイン性、ファッション性に優れ、独特の質感を出すことができる。
【００１２】
また、本考案に係る手提げバッグは、絞り加工が縫い目に施されてある。この構成により、手提げバッグは全面に絞り加工が施され、模様が連続的である。したがって、手提げバッグは、デザイン性、ファッション性に優れ、また、全体に斑がなくほぼ均一に収縮する。
【００１３】
また、絞り加工は、一または二種類以上の括り方が選択されている。この構成により、手提げバッグは、生地に施される絞り加工を変更、組み合わせることにより、均一な模様だけでなく様々な模様が付される。したがって、更にデザイン性、ファッション性に優れている。
【００１４】
また、手提げ部に、収容部と異なる絞り加工が施されている。この構成により、手提げバッグは、収容部と手提げ部とで、伸縮の度合いや、模様を異なるものに変えることができる。したがって、手提げバッグは、利便性、デザイン性、ファッション性に優れている。
【図面の簡単な説明】
【００１５】
【図１】本考案の実施形態に係る手提げバッグを示し、（ａ）が不使用状態の手提げバッグの斜視図、（ｂ）が使用状態において伸長した手提げバッグの斜視図である。
【図２】本考案の実施形態に係る手提げバッグの変形例の概略と、一部の拡大部分とを示し、（ａ）が縫い〆絞の概略図と一部拡大図、（ｂ）が三浦絞の概略図と一部拡大図である。
【図３】本考案の実施形態に係る手提げバッグの変形例の概略と、一部の拡大部分とを示し、（ａ）が唄絞の概略図と一部拡大図、（ｂ）が三浦絞および人目絞の組み合わせの概略図と一部拡大図である。
【図４】本考案の実施形態に係る手提げバッグの製造工程を示す工程図である。
【考案を実施するための形態】
【００１６】
以下に、本考案の実施形態を図面に基づいて説明する。
【００１７】
図１において、本実施形態に係る手提げバッグ１０は、収容部１１と、手提げ部１２とから構成されている。収容部１１は袋状に形成され、商品１などを出し入れするために開口された開口部１３と、開口部１３を通って収容された商品１を受け止める底部１４とから形成されている。手提げバック１０の生地には、ポリエステルが用いられる。
【００１８】
収容部１１は、一枚の生地が折り返されて二重に重ねられ、底部１４が折り目となるように、対峙した生地の縁が一部（開口部１３）を残して縫い合わせられて縫製されている。図１における破線部は縫い目１５である。
【００１９】
手提げ部１２は開口部１３の縁に形成され、収容部１１が吊り下げられている。手提げ部１２は長手のアーチ状に形成され、両端が開口部１３の縁と共に収容部１１の内側へ折り返されて縫い合わせられている。手提げバッグ１０は、縫い目１５が、開口部１３、開口部１３と手提げ部１２とのつなぎ目、開口部１３から底部１４にかけて、それぞれ形成されている。
【００２０】
手提げ部１２は、収容部１１と一体的に連なっていてもよい。この場合、手提げバッグ１０は、一枚の生地の両端に手提げ部１２を形成するための長手部が形成され、折り返されて二重に重ねられて対峙した生地の縁が縫い合わせられる際、長手部の先端同士もそれぞれ縫い合わせられて形成される。
【００２１】
手提げバッグ１０には、全体に絞り加工としてのボタン絞が施されている。すなわち、ボタン絞は、収容部１１および縫い目１５に施されている。詳説すると、手提げバッグ１０は、外側に張り出されたほぼ円盤状の複数の突起部１６が整列して形成されている。突起部１６の周囲には、絞られた絞り部１７が形成されている（図１（ｂ）参照）。
【００２２】
ここで、ボタン絞りは、絞り加工の一つであり、ボタンのような形状の突起が形成されるような絞り方である（図１参照）。
【００２３】
また、絞り加工とは、紋様表現技法の一つである。絞り加工は、例えば、疋田絞、一目絞、傘巻絞、帽子絞、縫締絞、唄絞、針疋田絞、針一目絞、桶絞、板締絞、三浦絞、縫い〆絞、ボタン絞、人目絞などの各技法から選択される。なお、上記したように絞り加工は数十種類の技法に及ぶが、公知の技法であるため詳しい説明を省略する。
【００２４】
手提げバッグ１０に施される絞り加工は、収容部１１と手提げ部１２とで異なっている。すなわち、収容部１１にはボタン絞（突起部１６）が施され、一方、手提げ部１２に三浦絞が施されている。
【００２５】
以上のようにして、手提げバッグ１０は構成されている。
【００２６】
次に、本実施形態の作用について手提げバッグ１０の使用状態と共に図面に基づいて説明する。
【００２７】
図１（ａ）において、不使用状態の手提げバッグ１０は、ボタン絞（突起部１６）が施された生地の絞り部１７が絞られた状態であり、収容部１１および手提げ部１２が収縮している。
【００２８】
一方、図１（ｂ）において、使用状態の手提げバッグ１０は、収容部１１に商品１を収容したことで、ボタン絞（突起部１６）が施された生地の絞り部１７が方方に広がり、収容部１１が膨張している。すなわち、手提げバッグ１０は、収容部１１に収容した商品１の形態に応じて形が変形する。また、手提げ部１２は、収容部１１に収容した商品１に作用した重力により収容部１１が吊り下げられた方向に引っ張られ、伸長している。
【００２９】
手提げバッグ１０は、収容部１１から商品１が取り出されると元の収縮した状態に戻る（図１（ａ）参照）。なお、仮に収縮した状態が崩れてきた場合であっても、水などで洗浄することで、元の収縮した状態に戻る。
【００３０】
次に、本実施形態の製造工程について図面に基づいて説明する。
【００３１】
図４において、手提げバッグ１０の製造工程は、バッグ成形工程２０、絞り工程３０、成形工程４０、抜糸工程５０から構成されている。ここで、絞り工程３０、成形工程４０、抜糸工程５０が、絞り加工に関する工程である。
【００３２】
＜バッグ成形工程＞
バッグ成形工程２０において、ポリエステル製の生地を所望の形状に裁断し、折り返して二重に重ねる。重ねた生地の折り目をバッグの底部１４とし、対峙した生地の縁を、開口部１３を残して袋状に縫い合わせてバッグを縫製する。
＜絞り工程＞
絞り工程３０において、生地の一部を摘み上げ、麓部分をつまみ糸で縛る。例えば、ボタン絞（突起部１６）であれば、ボタン状の型を生地で包むようにつまみ糸で縛る。この作業を、縫い目１５を含めて生地全体にほぼ等間隔に施す。
＜成形工程＞
成形工程４０において、絞り形状が形成されたバッグを専用の窯に投入し、１２０℃から１３０℃の蒸気にさらし、高圧を加える。その後、十分に乾燥させる。
＜抜糸工程＞
抜糸工程５０において、絞り形状が保持されたバッグから糸を抜糸する。
【００３３】
次に、本実施形態の効果を説明する。
【００３４】
上記したように、本実施形態によれば、手提げバッグ１０は、素材にポリエステルが用いられ、ボタン絞（突起部１６）が施されている。
【００３５】
この構成により、手提げバッグ１０は絞り部１７が方方に伸縮し、また、ボタン絞（突起部１６）の定着がポリエステル製の生地により長期間維持される。したがって、手提げバッグ１０は、収容部１１に収容できる内容物の許容量を確保しつつ携帯し易く、生地に施されたボタン絞（突起部１６）が長期間維持される。さらに、この手提げバッグ１０は、ボタン絞（突部１６）により、デザイン性、ファッション性に優れ、独特の質感を出すことができる。なお、使用状態の手提げバッグ１０の大きさは、不使用状態の約３倍から４倍の大きさに伸長する。
【００３６】
本実施形態は、ボタン絞り（突起部１６）が、収容部１１および縫い目１５の全体に施されている。この構成により、手提げバッグ１０は全面にボタン絞（突起部１６）が施され、模様が連続的である。したがって、手提げバッグ１０は、全体に斑がなくほぼ均一に収縮し、また、デザイン性、ファッション性に優れている。
【００３７】
本実施形態は、収容部１１にボタン絞（突起部１６）が施され、手提げ部１２に三浦絞が施されている。この構成により、手提げバッグ１０は、収容部１１と手提げ部１２とで、伸縮の度合いや、模様を異なるものに変えることができる。したがって、手提げバッグ１０は、利便性、デザイン性、ファッション性に優れている。
【００３８】
本実施形態は、収容部１１が、一枚の生地が折り返されて二重に重ねられ、底部１４が折り目となるように、対峙した生地の縁が一部（開口部１３）を残して縫い合わせられて縫製されている。この構成により、縫い目１５が底部１４に施されていないため、手提げバッグ１０は底部１４が強固となる。
【００３９】
なお、上記した実施形態の変形例として、手提げバッグにはボタン絞の他、例えば、図２（ａ）に示すような縫い〆絞、図２（ｂ）に示すような三浦絞、図３（ａ）に示すような唄絞などを施してもよい。
【００４０】
また、手提げバッグに施される絞り加工は、単一または二種類以上が組み合わされていてもよい。例えば、図３（ｂ）に示すような、三浦絞と人目絞との組み合わせであってもよい。この構成により、手提げバッグは、均一な模様だけでなく様々な模様が組み合わされて付される。したがって、更にデザイン性、ファッション性に優れている。
【００４１】
また、手提げバッグは、柄が施されている生地から形成してもよい。この場合、手提げバッグの伸縮に伴って生地に施された柄も伸縮することで、不使用状態と使用状態とで柄が異なり、手提げバッグのデザイン性、ファッション性が向上する。
【００４２】
以上、本考案の実施形態の一つを例示して詳述したが、本考案は上記実施形態に限定されるものではない。そして本考案は、実用新案登録請求の範囲に記載された事項を逸脱することがなければ、種々の設計変更を行うことが可能である。
【符号の説明】
【００４３】
１                商品
１０              手提げバッグ
１１              収容部
１２              手提げ部
１３              開口部
１４              底部
１５              縫い目
１６              突起部
１７              絞り部
２０              バッグ成形工程
３０              絞り工程
４０              成形工程
５０              抜糸工程
【図１】
0003176797.tif 000003
【図２】
0003176797.tif 000004
【図３】
0003176797.tif 000005
【図４】
0003176797.tif 000006